(57)【要約】【課題】果物同士がぶつかりあったり擦れてできる傷を防ぎ、果物の容器底部等と接触する部分の変形や傷みやすさを解消し、更に果物の表面にできる結露や結露によるカビの発生を防ぐことが可能で、果物の商品価値を保つことができる果物収納容器、果物収納構造及び果物収納システムを提供する。【解決手段】下端の開口部２に形成された底部２ａ及び該底部２ａから上方に向かって拡径する側壁部３と該側壁部３の上端の開口部４ａとからなる果物収納容器１、及び該果物収納容器１を用いた果物収納構造及び果物収納システムである。【選択図】図２
2018062384.tif 000002
【特許請求の範囲】
【請求項１】
下端の開口部から上方に向かって拡径する側壁部と該側壁部上端の開口部とからなることを特徴とする果物収納容器。
【請求項２】
下端の開口部に底部が形成されていることを特徴とする請求項１に記載の果物収納容器。
【請求項３】
樹脂からなることを特徴とする請求項１又は２に記載の果物収納容器。
【請求項４】
樹脂が透明であることを特徴とする請求項３に記載の果物収納容器。
【請求項５】
紙又は紙と樹脂とのラミネート又は不織布からなることを特徴とする請求項１又は２に記載の果物収納容器。
【請求項６】
側壁部の少なくとも一部に波板状の凹凸が設けられていることを特徴とする請求項１乃至５のいずれか１項に記載の果物収納容器。
【請求項７】
波板状の凹凸が水平方向又は上下方向又は斜め方向に設けられていることを特徴とする請求項６に記載の果物収納容器。
【請求項８】
通気孔が設けられていることを特徴とする請求項１乃至７のいずれか１項に記載の果物収納容器。
【請求項９】
波板状の凹凸が設けられた側壁部の外側に突出した凸部分に通気孔が設けられていることを特徴とする請求項８に記載の果物収納容器。
【請求項１０】
側壁部が円筒形であることを特徴とする請求項１乃至９のいずれか１項に記載の果物収納容器。
【請求項１１】
底部に波形状の凹凸が設けられていることを特徴とする請求項１乃至１０のいずれか１項に記載の果物収納容器。
【請求項１２】
上端の開口部に蓋体が被着されていることを特徴とする請求項１乃至１１のいずれか１項に記載の果物収納容器。
【請求項１３】
複数個が連設されていることを特徴とする請求項１乃至１２のいずれか１項に記載の果物収納容器。
【請求項１４】
フィルム又はシートに深絞り成形により形成されていることを特徴とする請求項１３に記載の果物収納容器。
【請求項１５】
請求項１乃至１４のいずれか１項に記載の果物収納容器内に、１個の果物が収納されていることを特徴とする果物収納構造。
【請求項１６】
果物が側壁部に支持され、該果物が下端の開口部に到達していないことを特徴とする請求項１５に記載の果物収納構造。
【請求項１７】
果物がイチジク又はビワであって、果軸を下端の開口部側に向けて収納されていることを特徴とする請求項１６に記載の果物収納構造。
【請求項１８】
請求項１乃至１４のいずれか１項に記載の果物収納容器と支持枠体とからなり、
前記支持枠体は支持部と該支持部を支える脚部とからなり、前記支持部には、前記果物収納容器を挿入可能な支持孔が穿設されており、該支持孔は前記果物収納容器の底部よりも大きく、側壁部上端の開口部よりも小さく形成され、
前記果物収納容器が前記支持枠体の支持孔に挿入されていることを特徴とする果物収納システム。
【請求項１９】
支持孔の縁部から、果物収納容器の側壁部周面に沿う形状のスカート部が垂設されていることを特徴とする請求項１８に記載の果物収納システム。
【発明の詳細な説明】
【技術分野】
【０００１】
本発明は、果物を移送する際の収納容器及び果物収納構造に関し、特にイチジクやビワなどの小型で形状が球形から大きく外れる果物に適した収納容器、収納構造及び収納システムに関する。
【背景技術】
【０００２】
近年、丈夫な皮に包まれた柑橘類は別にして、リンゴやナシなど中型以上の果物は主にポリオレフィンの発泡体で作られたネット状の緩衝材で１個ずつ包んで箱詰めされて輸送され、取り出されて店頭に陳列されている。
【０００３】
しかしながら、イチジクやビワなど小型のしかも形状が球形から大きく外れた果物は上記のような緩衝材で包むことは難しく、効率も悪い。従って、浅い角のとれた皿状の透明な容器に数個ずつ横に並べて詰め、上に透明なフィルムがかぶせられている。これを複数個ダンボール製などの箱に詰めて輸送され、輸送先の店頭で上記皿状の透明な容器毎に取り出され店頭に並べられている。しかし、このような包装方法では輸送中に果物同士がぶつかりあい、果物側面が他の果物の側面や容器の底部と接触することによって果物に傷がつき、変形し、味を落としてしまう。
【０００４】
このような不都合を解消するため、排気用の微細孔が設けられた包装材が提案されている（例えば特許文献１）。
【先行技術文献】
【特許文献】
【０００５】
【特許文献１】特開２００５−７３５２９号公報
【発明の概要】
【発明が解決しようとする課題】
【０００６】
しかしながら、包装材に排気用の微細孔を設けても、輸送中に果物同士がぶつかり合い、果物の側面や容器の底部と接触することにより果物に傷がつき、味を落とすという問題は解決されない。
【０００７】
本発明はかかる実情に鑑み、輸送中に果物同士がぶつかり合い、果物の側面や容器の底部と接触することにより果物に傷がつき、味を落とすという問題を解決するための果物の収納容器、収納構造及び収納システムを提供することを目的とする。
【課題を解決するための手段】
【０００８】
本発明は上記目的を達成するためになされたもので、本発明の特徴は、下端の開口部から上方に向かって拡径する側壁部と該側壁部上端の開口部とからなる果物収納容器である。
【０００９】
本発明の別の特徴は、下端の開口部に底部が形成されている上記の果物収納容器である。
【００１０】
本発明の更に別の特徴は、樹脂からなる上記の果物収納容器である。
【００１１】
本発明の更に別の特徴は、樹脂が透明である上記の果物収納容器である。
【００１２】
本発明の更に別の特徴は、紙又は紙と樹脂とのラミネート又は不織布からなる上記の果物収納容器である。
【００１３】
本発明の更に別の特徴は、側壁部の少なくとも一部に波板状の凹凸が設けられている上記の果物収納容器である。
【００１４】
本発明の更に別の特徴は、波板状の凹凸が水平方向又は上下方向又は斜め方向に設けられている上記の果物収納容器である。
【００１５】
本発明の更に別の特徴は、通気孔が設けられている上記の果物収納容器である。
【００１６】
本発明の更に別の特徴は、波板状の凹凸が設けられた側壁部の外側に突出した凸部分に通気孔が設けられている上記の果物収納容器である。
【００１７】
本発明の更に別の特徴は、側壁部が円筒形である上記の果物収納容器である。
【００１８】
本発明の更に別の特徴は、底部に波形状の凹凸が設けられている上記の果物収納容器である。
【００１９】
本発明の更に別の特徴は、上端の開口部に蓋体が被着されている上記の果物収納容器である。
【００２０】
本発明の更に別の特徴は、複数個が連設されている上記の果物収納容器である。
【００２１】
本発明の更に別の特徴は、フィルム又はシートに深絞り成形により形成されている上記の果物収納容器である。
【００２２】
本発明の２に別の特徴は、上記の果物収納容器内に、１個の果物が収納されている上記の果物収納構造である。
【００２３】
本発明の更に別の特徴は、果物が側壁部に支持され、該果物が下端の開口部に到達していない上記の果物収納構造。
【００２４】
本発明の更に別の特徴は、果物がイチジク又はビワであって、果軸を下端の開口部側に向けて収納されている上記の果物収納構造である。
【００２５】
本発明の更に別の特徴は、上記の果物収納容器と支持枠体とからなり、前記支持枠体は支持部と該支持部を支える脚部とからなり、前記支持部には、前記果物収納容器を挿入可能な支持孔が穿設されており、該支持孔は前記果物収納容器の底部よりも大きく、側壁部上端の開口部よりも小さく形成され、前記果物収納容器が前記支持枠体の支持孔に挿入されている果物収納システムである。
【００２６】
本発明の更に別の特徴は、支持孔の縁部から、果物収納容器の側壁部周面に沿う形状のスカート部が垂設されている上記の果物収納システムである。
【発明の効果】
【００２７】
本発明の果物収納容器、果物収納構造及び果物収納システムによれば、果物が果物収納容器内に１個づつ個別に収納されているので果物同士がぶつかり合って傷がつくということがない。
また、果物が果物収納容器内に側壁部により支持され、該果物が下端の開口部に到達していない状態又は底部に接触していない状態に収納されるので、果物の下部が接触して傷みやすいという従前のトラブルが解消される。
更に、通気孔や通気路により果物同士が接触した部分にできる結露や、結露によりカビが生えることが防止されることにより、果物の美観や美味が保持され、果物の商品価値を保つことができる。
【図面の簡単な説明】
【００２８】
【図１】図１は本発明の果物収納容器の一例を示す断面図である。
【図２】図２は本発明の果物収納容器の他の例を示す断面図である。
【図３】図３は本発明の果物収納容器を複数個連設した一例を示す側面図である。
【図４】図４は本発明の果物収納容器の別の例を示す断面図である。
【図５】図５は本発明の果物収納容器の別の例を示す側面図である。
【図６】図６は本発明の果物収納容器の更に別の例を示す側面図である。
【図７】図７は本発明の果物収納容器の更に別の例を示す側面図である。
【図８】図８は本発明の果物収納容器の更に別の例を示す断面図である。
【図９】図９は本発明の果物収納容器の更に別の例を示す平面図である。
【図１０】図１０は本発明の果物収納容器の更に別の例を示す断面図である。
【図１１】図１１は本発明の果物収納容器の更に別の例を示す断面図である。
【図１２】図１２は本発明の果物収納容器の更に別の例を示す断面図である。
【図１３】図１３は本発明の果物収納容器の更に別の例を示す断面図である。
【図１４】図１４は本発明の果物収納システムにおける支持枠体の一例を示す斜視図である。
【図１５】図１５は本発明の図１４に示した支持枠体を使用した果物収納システムの一例を示す断面図である。
【図１６】図１６は本発明の別の支持枠体を使用した果物収納システムの別の例を示す断面図である。
【発明を実施するための形態】
【００２９】
本発明における果物収納容器１は、下端の開口部２から上方に向かって拡径する側壁部３と該側壁部３の上端の開口部４とからなることを特徴としている。
【００３０】
図１に示すように、本発明の果物収納容器１は、下端の開口部２と側壁部３と該側壁部３の上端の開口部４とからなり、果物Ｆを収納する部分である。本発明の果物収納容器１は、図２に示すように、下端の開口部に底部２ａを形成することができる。底部２ａを設けることにより、下方からの異物の混入等により変形したり、傷が付くのを防止することができる。本発明の果物収納容器１は、１個でも良いし、図２に示すように、２個以上連設してもよい。
【００３１】
以下、主として、下端の開口部２に底部２ａを形成した果物収納容器を例に挙げて説明する。
本発明において底部２ａの大きさや形状は特に限定されず、収納する果物に応じて適宜設計すればよい。底部の形状については、図４に示すように、底部２ａに波形状の凹凸を設ければ、果物が底部２ａに当たった際にもクッションとなり、果物に傷が付きにくくなる。凹凸の向きや形状は特に限定されず、直線状の凹部と凸部が連続して設けられた形状（波板状）でもよいし、同心円状の凹部と凸部が連続した形状でもよい。
【００３２】
本発明において、側壁部３は、底部２ａから上方に向かって拡径する形状とされる。例えば、底面が円形である場合は、側壁部３は上方に向かって拡径した円筒形となる。果物Ｆを本発明の果物収納容器１に収納すると、側壁部３は下方に向かっては縮径しているので、大きさの異なる果物であっても、途中で、即ち、大きい果物Ｆは側壁部３の比較的上方で側壁部３と当接して支持され、また、小さい果物Ｆは側壁部３の比較的下方で側壁部３と当接して支持され、果物Ｆが底部２ａと接触しない状態で収納される。
従って、上方に向かって拡径する形状、即ち、下方に向かって縮径する形状の傾きは、収納する果物Ｆの大小を考慮して、大きいものから小さいものまで側壁部３に当接し支持され、果物が底部２ａと接触しない状態で収納されるように設計される。このように設計することにより、１種類の果物収納容器を準備すればサイズが異なる果物に適用できるので効率的で且つ経済的である。
従来の収納容器のように、容器の底部に果物が接触する場合は、果物の全重力が果物の容器底部と接触する下部に掛かるため、この部分が変形したり、傷が付き易くなる。これに対し、本発明の収納容器では、果物は容器の底部に接触しないので、このような問題は生じない。また、底部を有しない収納容器の場合は、果物は段ボール箱等の底面に接触しないので、果物の下部の変形や傷は防止される。
【００３３】
側壁部３については、側壁部３の少なくとも一部、好ましくは果物Ｆと当接する部分の全部に波形状の凹凸が設けることにより、凹凸がクッションとなり、果物Ｆに傷が付きにくくなる。また、凹凸により果物Ｆがしっかり保持されるため、ずり落ちしにくくなる。このため、保持される果物Ｆが潰れたり、傷ついたりしにくくなるので、商品価値が保たれる。
凹凸の形状は特に限定されないが、図５〜図７に示すように、直線状の凹部と凸部が連続した形状（波板状）が好ましい。凹凸の方向は特に限定されないが、水平方向（図５参照）、上下方向（図６参照）、斜め方向（図７参照）が例示できる。特に凹凸の方向が上下方向や斜め方向である場合、内側から見て外方向に突出した凸部分が通気路となって良好な鮮度を保つとともに、果物Ｆから発散されて下方にたまったガスや水蒸気を上部に逃がし結露や結露によるカビの発生を防止しやすくなるので好ましい。
【００３４】
上記の果物収納容器は、果物Ｆを収納した後、果物Ｆの上部容器内に、又は容器の上部に、紙、フィルム、発泡樹脂シート等で簡易な蓋をして使用することもできるが、図８に示すように、上端の開口部４に蓋体５を被着させることも可能である。蓋体５は開口部４に比較的弱い力で開封できるように（易開封性）被着されていると、中身の果物Ｆが取り出しやすいので好ましい。易開封手段としては、ジッパー（ミシン目）、ノッチ（切り込み）の他、ヒートシールによりイージーピーラブル（易剥離性）な接着等が挙げられる。ヒートシールにより接着する場合は、必要に応じ、コロナ放電処理、火炎処理、アンカーコート処理等を施すことも可能である。
【００３５】
開口部４に蓋体５を被着させる場合、図９に例示したように、摘み部５ａを設けるのが好ましい。図９では蓋体５の少なくとも一部に、指でつまみ易い形状の張り出しを設け、摘み部５ａとされている。このようにすれば、蓋体５を取り外すときにはこの摘み部５ａを持って上方に引っ張って除去することができる。また、開口部４の外周に同心円上に張り出させて摘み部としてもよい。尚、図８において、蓋体５は一部開いた状態を示している。
【００３６】
本発明の果物収納容器１には、果物Ｆから発散するガスや水蒸気を容器外に排出するための通気孔６を設けることが好ましい。通気孔６を設ける位置は特に限定されず、底部２ａ、側壁部３及び蓋体５の少なくとも１つに設けられる。
【００３７】
底部２ａに凹凸を設けた場合は、図１０に示したように、内側から見て外方向に突出した凸部分２ｂに通気孔６を設けてもよいし、側壁部３に凹凸を設けた場合は、図１１に示したように、側壁部３の内側から見て外方向に突出した凸部分３ａに通気孔６を設けてもよい。このように通気孔６を設けることにより、果物Ｆと底部２ａ又は側壁部３の間に外方向に突出した凸部分２ｂ又は３ａに相当する隙間で形成され、この隙間がガスや水蒸気の通路となるので好ましい。
【００３８】
本発明の果物収納容器１は、下端の開口部２や底部２ａから上方に向かって直線状に拡径する場合に限られず、図１２、図１３に示すように、途中で拡径の度合が異なっていてもよい。図１２の果物収納容器１は、下端の開口部２から途中まで大きく拡径した後、緩やかに拡径した側壁部３からなる。図１３の果物収納容器１は、図１２に示した果物収納容器１の下端の開口部に底部２ａが設けられるとともに、上端の開口部４に蓋体５が形成されている。
図１２、図１３に示す果物収納容器１では、１箇所で屈曲した側壁部３を有する例を示したが、必要に応じ、複個数箇所で屈曲した側壁部３としてもよい。
このような屈曲した側壁部を有する果物収納容器１に収納された果物は、屈曲部の上部と下部との２箇所で側壁部で支持されるため、果物に掛かる力が分散され傷みが防止されるとともに、屈曲部に形成される果物と側壁部内側との隙間が通気孔となり果物の鮮度が維持される。
【００３９】
本発明の果物収納容器１には、果物Ｆが１個づつ個別に収納される。果物Ｆが側壁部３に支持され、該果物Ｆが底部２ａに接触しないように収納されるのが好ましい。底部２ａを有しない収納容器の場合は、段ボール箱等の底面と接触しないように収納される。収納される果物Ｆは特に限定されないが、特に、果肉が柔らかく輸送中や取り扱い中に傷が付きやすいイチジクやビワが好適である。イチジクやビワは、果軸（果実を支える茎の部分）を底部２ａ側に向けて収納される。
【００４０】
本発明の果物収納容器は、支持枠体とともに使用して果物収納システムとすることもできる。
支持枠体７は、図１４に示す例では、支持部７ａと該支持部７ａを支える脚部７ｄとからなり、前記支持部７ａには、上記の果物収納容器１を挿入可能な支持孔７ｂが穿設されており、該支持孔７ｂは前記果物収納容器１の底部よりも大きく、側壁部３の上端部よりも小さく形成されている。
【００４１】
本発明において、支持部７ａの形状は特に限定されないが、保管、陳列又は輸送のしやすさを考慮すれば、図１４に示すように、外形が矩形の板状とするのが好ましい。
【００４２】
この支持部７ａには支持孔７ｂが穿設されており、この支持孔７ｂの中に果物収納容器１を挿入するように構成されている。
支持孔７ｂは果物収納容器１の底部２ａ（又は下端の開口部２）よりも大きく、側壁部３の上端部よりも小さく形成されているため、支持孔７ｂに果物収納容器１を挿入すると、果物収納容器１が途中で支持孔７ｂに係合し、図１５に示すように、支持孔７ｂから果物収納容器１が懸垂した形態となる。このように、果物収納容器１は支持孔７ｂに懸垂した状態であるため、例えば輸送中に振動が加わった場合、収納容器１が支持孔７ｂ内を上下動することにより振動による衝撃が吸収され、その結果、収納容器１内の果物へ直接衝撃が伝わるのが緩和される。図１５では、収納容器１の蓋体を被着したフランジ部が支持部７ａの上面に接触していないが、接触するように懸垂させてもよい。
【００４３】
なお、単に支持孔７ｂから果物収納容器１を懸垂しただけでは、輸送の際に果物収納容器１が左右に揺動することがあり、不安定になる場合がある。そこで、輸送の際でも果物収納容器１を安定して支持するために、支持孔７ｂの縁部から、果物収納容器１を支持するためのスカート部７ｃを垂設することができる。具体的には、例えば図１６に示すように、スカート部７ｃを果物収納容器１の側壁部３周面に沿う形状とすればよい。
【００４４】
本発明の支持枠体７には、前記支持部７ａを支えるための脚部７ｄが設けられている。脚部の形状は特に限定されないが、図１４〜図１６に示した例では矩形の支持部７ａの対向する２辺に設けられている。必要に応じ、支持部７ａの３辺又は４辺に設けてもよく、また、支持部７ａの四隅から垂設される４本の棒状部材を脚部としてもよい。
【００４５】
本発明の果物収納容器の材質は特に限定されず、合成樹脂、紙、紙と合成樹脂のラミネート、不織布等が使用できる。また、容器本体と蓋体を同じ素材で製造してもよいし、別々の素材で製造してもよい。
合成樹脂としては特に限定されないが、ポリエチレン、ポリプロピレン等のポリオレフィン樹脂、ポリスチレン樹脂、塩化ビニリデン樹脂、ポリアミド（ナイロン）樹脂、ポリエステル樹脂等が挙げられ、特に、ポリスチレン樹脂、ポリエステル樹脂は透明性が高く、内容物が確認でき、また剛性が高く深絞り成形性に優れている点でフィルムやシートからの容器への成形が便利である。また、ポリ乳酸樹脂、ポリブチレンサクシネート、ポリアミド１１、ポリヒドロキシ酪酸等の生分解性プラスチックやバイオマスプラスチック等も使用可能である。
紙としては特に限定されないが、クラフト紙、上質紙、パーチメント紙、グラシン紙等が挙げられる。これらの素材は、酸素透過性、二酸化炭素透過性やガスバリアー性、湿気バリアー性等を勘案して採用することができる。
【００４６】
本発明の果物収納容器１は、フィルムやシートを深絞り成形により、特に、果物収納容器の複数個を深絞り成形により形成するのが好ましい。シートとしては発泡ポリスチレン等の発泡シートを使用すると素材自体ののクッション性により果物が保護されるので好ましい。紙と樹脂とのラミネートの場合は、紙側、樹脂側のいずれを果物収納容器１の内側（又は外側）としてもよい。
【００４７】
本発明の果物収納容器１において、底部２ａ、側壁部３、蓋体５の少なくとも１つを透明樹脂とすれば、果物収納容器１内の果物Ｆの種類や状態を容易に視認できるため好都合である。
【００４８】
本発明の支持枠体７の材質は特に限定されず、上記した樹脂、紙、紙と合成樹脂のラミネート等が挙げられる。樹脂は発泡樹脂が軽量性の面で好適で、紙は段ボール紙、樹脂をラミネートしたプラスチック段ボール紙、プラスチック段ボール等が好適である。
【実施例】
【００４９】
以下、実施例を挙げて本発明を更に詳しく説明するが、これらは本発明を制限するものではない。
【００５０】
実施例１
今年８月収穫の淡路産のイチジク（品種：桝井ドーフィン；サイズ：Ｌ又は２Ｌで最大直径約６０ｍｍ）１２個を１個ずつ透明ポリスチレン製カップ状容器：上端開口部の直径約７０ｍｍ、下端開口部の直径約５０ｍｍ、深さ約６５ｍｍ、空間容積約１３５ｍｌで下端開口部に底部を設けた図２に示す果物収納容器１に果物の軸部が底側になるように収納した。このイチジクを収納した容器１２個を図１２に示す支持枠体に嵌めてダンボール製の箱に入れ、ＪＩＳ−Ｋ−０２３２：２００４に従い、ランダム振動試験器を用いて６０分間の包装貨物−振動試験（縦方向のみ加振）を実施した。結果は、イチジクに変形や表面の傷もなく包装効果に優れていることが分かった。
【００５１】
実施例２
実施例１の容器の上端開口部に透明ポリスチレン製の蓋体を取り付けた図８に示す果物収納容器にイチジク２４個を１個ずつ収納し、この容器２４個を図１６に示す支持枠体に嵌めてダンボール製の箱に入れ、同様の包装貨物−振動試験を実施した。結果は、イチジクに変形や表面の傷もなく包装効果に優れていることが分かった。
【００５２】
実施例３
実施例１と同様のイチジクを収納した容器をダンボール製の箱に入れ、コンテナ貨物として温度１℃で約４日間の船舶輸送試験を行った。輸送後の結果は、イチジクに変形や表面の傷もなく包装効果に優れていた。
【００５３】
実施例４
実施例２と同様のイチジクを収納した容器をダンボール製の箱に入れ、コンテナ貨物として温度１℃で約４日間の船舶輸送試験を行った。輸送後の結果は、イチジクに変形や表面の傷もなく包装効果に優れていた。
【００５４】
比較例
現行の方法に従って、実施例で用いたイチジク６個入りポリエステル製ケース２つにイチジク１２個を収納しダンボール製の箱に入れ、上記実施例１と同様の振動試験を実施した。結果は、イチジクの表皮が擦れ、果物側部に擦り傷が見られ、特に果物の軸部が当る果物側部では表皮の破損が著しかった。
【産業上の利用可能性】
【００５５】
叙上のとおり、本発明の果物収納容器、果物収納構造及び果物収納システムによれば、果物が果物収納容器内に個別に収納されているので果物同士がぶつかり合ったり擦れることにより傷が生じるということがない。
また、果物が果物収納容器内に側壁部により当接支持され、底部に、又は底部を有しない場合は、段ボール箱等の底面に接触しない状態に収納されているので、果物の接触する部分が傷みやすいというトラブルが解消される。
更に、果物同士が接触した部分にできる結露や結露によりカビが生えることが防止されることにより、果物の美観や美味が保持され、果物の商品価値を保つことができる。
【符号の説明】
【００５６】
１  果物収納容器
２  開口部（下端）
２ａ  底部
２ｂ  凸部分
３  側壁部
３ａ  凸部分
４  開口部（上端）
５  蓋体
５ａ  摘み部
６  通気孔
７  支持枠体
７ａ  支持部
７ｂ  支持孔
７ｃ  スカート部
７ｄ  脚部
Ｆ  果物
【図１】
2018062384.tif 000003
【図２】
2018062384.tif 000004
【図３】
2018062384.tif 000005
【図４】
2018062384.tif 000006
【図５】
2018062384.tif 000007
【図６】
2018062384.tif 000008
【図７】
2018062384.tif 000009
【図８】
2018062384.tif 000010
【図９】
2018062384.tif 000011
【図１０】
2018062384.tif 000012
【図１１】
2018062384.tif 000013
【図１２】
2018062384.tif 000014
【図１３】
2018062384.tif 000015
【図１４】
2018062384.tif 000016
【図１５】
2018062384.tif 000017
【図１６】
2018062384.tif 000018